(57)【特許請求の範囲】
【請求項１】
装着者の頭部を通って支持されるヘッドセットであって、
骨伝導スピーカと、
２つの接触式マイクと、
前記骨伝導スピーカを支持し弾性を有するフレームと、
前記接触式マイクと前記フレームとの距離を変更可能な可動部と、を備え、
それぞれの前記接触式マイクは前記可動部を備え、前記可動部は少なくとも第１の位置と第２の位置に変更可能であり、前記第２の位置は前記第１の位置より前記接触式マイクと前記フレームとの距離が近くかつ前記第１の位置より前記接触式マイク同士の距離が遠いヘッドセット。
【請求項２】
前記可動部は、回転する機構を有する請求項１に記載のヘッドセット。
【請求項３】
前記フレームは、装着した状態において前記装着者の耳の下から前記２つの骨伝導スピーカを支持する請求項１に記載のヘッドセット。
【請求項４】
前記装着者の耳にかけるフックをさらに備えた請求項１に記載のヘッドセット。
【請求項５】
前記接触式マイクは、咽頭マイクである請求項１に記載のヘッドセット。
【発明の詳細な説明】
【技術分野】
【０００１】
本開示は、骨伝導を用いたヘッドセットに関する。
【背景技術】
【０００２】
特許文献１は、ヘッドセットを開示する。このヘッドセットには、マイクとスピーカが備えられている。
【先行技術文献】
【特許文献】
【０００３】
【特許文献１】特開２００８−２６３３８３号公報
【発明の概要】
【発明が解決しようとする課題】
【０００４】
本開示は、装着者が装着しやすいヘッドセットを提供する。
【課題を解決するための手段】
【０００５】
本開示におけるヘッドセットは、装着者の頭部を通って支持されるヘッドセットであって、骨伝導スピーカと、２つの接触式マイクと、骨伝導スピーカを支持し弾性を有するフレームと、骨伝導マイクとフレームとの距離を変更可能な可動部と、を備え、それぞれの接触式マイクは可動部を備え、可動部は少なくとも第１の位置と第２の位置に変更可能であり、第２の位置は第１の位置より接触式マイクとフレームとの距離が近くかつ第１の位置より接触式マイク同士の距離が遠いことを特徴とする。
【発明の効果】
【０００６】
本開示におけるヘッドセットは、装着者が装着しやすいヘッドセットを提供することができる。
【図面の簡単な説明】
【０００７】
【図１】実施の形態におけるヘッドセットの外観図
【図２】実施の形態におけるヘッドセットの装着イメージ図
【図３】実施の形態における可動部の動作図
【図４】実施の形態における可動部の動作図
【図５】実施の形態におけるマイクの動作図
【図６】他の実施の形態におけるヘッドセットの外観図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態）
以下、図１〜５を用いて、実施の形態を説明する。
【００１１】
図１は、実施の形態におけるヘッドセットの外観図である。図１において、ヘッドセット１は、マイク２、スピーカ３、フレーム４、可動部５、フック６により構成されている。
【００１２】
マイク２は、接触式マイクである。接触式マイクには、喉元にマイクを密着させて音声を拾う咽頭マイクや、骨伝導によって装着者の声を取得する骨伝導マイク等がある。本開示のマイク２（接触式マイク）は、装着者の左右両方から取得できるように２つ設けてあるが、１つでもよい。
【００１３】
スピーカ３は、骨伝導によって装着者に音を伝える骨伝導スピーカである。本開示のスピーカ３は、装着者の左右両方から音を伝えるように２つ設けてあるが、１つでもよい。
【００１４】
フレーム４は、スピーカ３が直接取り付けられ、装着者の一方の耳から頭を通って他方の耳まで設けられている。
【００１５】
また、フレーム４は、弾性を有しており、その弾性によって装着者に保持される。具体的には、装着者が装着していない場合、フレーム４は装着者の頭より小さいサイズになっている。そして、装着者が装着した状態では、フレーム４が外側に広がるので、その復元力によって装着者に保持される。
【００１６】
さらに、フレーム４は、装着者の一方の耳の下から頭の後ろを通って他方の耳までつながっている。そして、フレーム４は、両耳の下から頭の後ろに行くに従い、上の方に沿った形状になっている。これにより、装着者が上を向いたときにも、襟、体背面部に当たらないようにすることができる。
【００１７】
可動部５は、弾性を有しておりその弾性によって両方のマイク２を装着者に押し当てる。また、詳細は後述するが、可動部５を動かすことにより、マイク２の位置を装着者が変えることができる。
【００１８】
なお、可動部５は、中心に空間を設け、ねじり方向（マイク２と可動部５が装着されたフレーム４の部分とを結んだ直線を軸として回転する方向）に対する柔軟性を確保し、フレーム４の内側の方向（側圧方向）に力がかかるようにしている。
【００１９】
また、可動部５は、マイク２のみが装着者に押し当てることができるようにするために、図１に示すように、湾曲した形状が好ましい。
【００２０】
フック６は、装着者の耳に掛けるものであり、ヘッドセット１がずれることを防止する。フック６は、中心に針金等を入れたシリコンゴムで形成されており、装着者の耳の形に合わせられるようにしている。また、眼鏡やゴーグル等を掛けても良いようにフレーム４より細く形成されている。なお、フック６は、他の形状、材料であってもよい。
【００２１】
図２は、実施の形態におけるヘッドセットの装着イメージ図である。すなわち、このヘッドセット１を、装着者が取り付けたイメージが図２に示すものである。
【００２２】
図３、図４は、実施の形態における可動部の動作図である。図３は装着した状態のマイク２の位置を示し、図４は、非装着時のマイク２の位置を示す。
【００２３】
図５は、実施の形態におけるマイクの動作図である。
【００２４】
マイク２は、咽頭マイクの場合、話している音を喉元付近の音声振動から取得するために、図２の範囲Ａ、つまり、耳の下から耳の後ろのあたりに位置するように装着する。骨伝導マイクの場合は、骨伝導によって装着者の声を取得するために、図２の範囲Ａ内に装着する。
【００２５】
スピーカ３は、耳の近くに位置するように装着する。また、スピーカ３の形状は、耳珠に密着する形状としている。このような形状にすると、骨伝導による音がより伝わりやすくなり、聞こえがよくなる。
【００２６】
なお、マイク２は、フレーム４、可動部５の弾性によって、装着者の両側から固定され、スピーカ３は、フレーム４の弾性によって、装着者の両側から固定される。
【００２７】
また、可動部５は、耳の後ろにからマイク２を支える構成になる。
【００２８】
上記構成したヘッドセット１における可動部５の動きについて、図３、図４、図５を用いて詳細に説明する。
【００２９】
可動部５は回転部７を有し、その回転部７を中心に回転可能になっている。図３に示すように、ヘッドセット１を装着した状態では、マイク２はフレーム４から離れたところに位置し、マイク２が耳の近くになるようにしている。すなわち、マイク２は、フレーム４の内側に位置するように配置される。この位置に配置することにより、装着者がヘッドセット１を装着した際に、マイク２が適正な範囲（図２で示す範囲Ａ）に押し当てられるようにしている。
【００３０】
なお、装着者の頭の大きさ等が異なるため、装着者によってヘッドセット１におけるマイク２の位置が異なる。しかし、可動部５が有する回転部７の回転機能により、マイク２の位置は回転部７の回転方向に自由に設定することができるので、図２に示した範囲Ａ内の位置にマイク２がくるように装着者毎に調整することが可能になる。
【００３１】
装着者がヘッドセット１を装着する場合、フレーム４は頭のサイズより小さく、かつその内側にマイク２が固定されていると、フレーム４とマイク２の両方を外側に広げながら装着する必要があるため、装着者にとって不便である。
【００３２】
そこで、図４に示すように、回転部７を中心に可動部５を回転させて、フレーム４にマイク２が近接して配置されるようにする。こうすることで、マイク２は装着の邪魔にならなくなり、装着者は、フレーム４を広げるだけでヘッドセット１を装着することができ、装着が容易になる。
【００３３】
なお、このとき、マイク２は、フレーム４に近い部分の幅が広く、フレーム４に遠い部分の幅が狭い方が、装着した場合に、より装着者に密着しやすくなるため好ましい。
【００３４】
次に、マイク２の位置について、図５を用いて詳細に説明する。図５のマイク２、可動部５について、実線で示したものが図４、破線で示したものが図３に対応している。
【００３５】
図５に示すように、ヘッドセット１が装着されている状態では、装着者はマイク２を破線の位置で使用し、図２で示した範囲Ａあたりに押し付ける。
【００３６】
一方、ヘッドセット１を装着する場合、装着者は、マイク２の位置を図５の実線の位置に移動させる。この位置にマイク２を移動させると、装着した状態に比べて、マイク２の位置がフレーム４の位置に近くなる（マイク２とフレーム４の距離を変えることができる）。また、図５に示すように、装着者の後頭部の方にマイク２が位置することになるので装着する際に邪魔にならない。そのため、装着者がヘッドセット１を装着しやすくなる。
【００３７】
なお、可動部５は、回転によってマイクの位置を変更しているが、フレーム４に沿ってスライド等で位置を変更できるようにしてもよい。また、マイク２の位置を、フレーム４を挟んで反対側（フレーム４の外側）に折り返して移動させるような構成でもよい。さらに、可動部５のアーム自体が伸縮あるいはスライドするような構成でもよい。
【００３８】
ただし、装着しやすさを考慮すると、回転部７を中心に回転することやスライドできることを組み合わせず、例えば、上記説明したように、回転部７を中心に回転する等、１つの要素でマイク２を移動可能にした方が好ましい。
【００３９】
以上のように、本実施形態では、マイク２の位置を移動可能にしたことにより、装着する際に装着しやすく、また、マイク２の位置を最適に調整することができる。
【００４０】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。
【００４１】
そこで、以下、他の実施の形態を例示する。
【００４２】
図６は、他の実施の形態におけるヘッドセットの外観図である。図６において、眼鏡やゴーグルを利用しない場合には、ヘッドセット１０のフレーム１１を直接耳に掛けるような形状としてもよい。
【００４３】
また、フレームは、装着者の後頭部を通るようにしているが、頭頂部等を通るようなフレームであってもよい。しかし、上述したようにマイク２をつける位置が耳の下であるため、フレームが耳の下の近くを通る構成の方が、可動部を小さくすることができるため好ましい。
【００４４】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４５】
本開示は、装着者が装着しやすいヘッドセットを提供することができ、接触式マイクを用いたヘッドセットに適用可能である。
【符号の説明】
【００４６】
１，１０    ヘッドセット
２    マイク
３    スピーカ
４，１１    フレーム
５    可動部
６    フック
７    回転部
【図１】
0006650563.tif 000002
【図２】
0006650563.tif 000003
【図３】
0006650563.tif 000004
【図４】
0006650563.tif 000005
【図５】
0006650563.tif 000006
【図６】
0006650563.tif 000007